(57)【要約】【課題】  施工が簡単であるとともに施工精度と強度にも優れ、しかも施工費が安価に済む外壁構造を提供する。【解決手段】  木造軸組み材、防水透湿シート、通気受材、外壁パネルを含んで構成される外壁構造であって、木造軸組み材の上に防水透湿シートを介して所定の形状及び大きさの通気受材が取り付けられ、外壁パネルと防水透湿シートとの間には通気受材により通気路が設けられる外壁構造において、外壁パネル２の裏面に予め縦横の通気受材３ａ〜３ｄを取り付ける。また、防水透湿シート７、間柱６、断熱材Ｄを予め取り付ける。さらに、通気受材３ａ、３ｃに嵌合係止部を形成する。【選択図】    図１
2005105556.tif 000002
【特許請求の範囲】
【請求項１】
木造軸組み材、防水透湿シート、通気受材、外壁パネルを含んで構成される外壁構造であって、前記木造軸組み材の上に前記防水透湿シートを介して所定の形状及び大きさの前記通気受材が取り付けられ、前記外壁パネルと前記防水透湿シートとの間には前記通気受材により通気路が設けられる外壁構造において、
前記外壁パネルの裏面に前記通気受材が予め取り付けられ、前記外壁パネルと前記通気受材とが一体化する
ことを特徴とする外壁構造。
【請求項２】
請求項１に記載の外壁構造において、
前記外壁パネルの裏面側に更に前記防水透湿シートと断熱材が予め取り付けられ、前記外壁パネルと前記通気受材と前記防水透湿シートと前記断熱材が一体化する
ことを特徴とする外壁構造。
【請求項３】
請求項１に記載の外壁構造において、
前記外壁パネルの裏面側に更に前記防水透湿シートと前記木造軸組み材の間柱が予め取り付けられ、前記外壁パネルと前記通気受材と前記防水透湿シートと前記間柱とが一体化する
ことを特徴とする外壁構造。
【請求項４】
請求項３に記載の外壁構造において、
前記外壁パネルの裏面側に更に断熱材が予め取り付けられ、前記外壁パネルと前記通気受材と前記防水透湿シートと前記間柱と前記断熱材とが一体化する
ことを特徴とする外壁構造。
【請求項５】
請求項１ないし請求項４いずれか記載の外壁構造において、
前記外壁パネル同士が隣り合う位置の前記通気受材同士に、前記外壁パネルの面に対して略垂直方向の嵌め合いが生じる嵌合係止部が形成される
ことを特徴とする外壁構造。
【請求項６】
請求項５に記載の外壁構造において、
前記通気受材の厚みを部分的に薄くし段付きにして前記嵌合係止部が形成される
ことを特徴とする外壁構造。
【請求項７】
請求項５に記載の外壁構造において、
凹凸の嵌め合いにして前記嵌合係止部が形成される
ことを特徴とする外壁構造。
【発明の詳細な説明】
【技術分野】
【０００１】
本発明は、外壁内部の結露発生防止に有効な通気構法を施した木造軸組み工法における外壁構造に関するものである。
【背景技術】
【０００２】
従来、木造軸組み工法住宅の外壁においては、通常、柱、間柱等の木造軸組み材の上にラス板、合板パネル等の下地パネルを張り付け、又は下地パネルを省略し、その上に防水透湿シートで覆い、その上に下地パネルを張り付け、その上にモルタル仕上げを行ったり、サイディング等の外壁パネルを直接張り付け施工する工法が行われてきた。しかし、近年、住宅における高気密高断熱化が進む中で、外壁の壁体内部では、縦方向の柱、間柱と、横方向の胴差、軒桁、胴縁、土台等の横架材によって壁体内の空気の流れが阻害され、壁体内部の結露発生が問題点になっていた。そこで、木材ムクからなる従来の通気受材を取り付けることにより、壁体内の結露を防止するような構造が試みられ成果を上げたが、このような木材ムクからなる通気受材による通気構法では、通気受材の強度が弱く、壁体の強度が低下するという問題点があった。そのため、構造用合板などの木質積層材からなる耐久性のある通気受材が用いられるようになってきた（例えば特許文献１参照。）。
【特許文献１】特開２００２−１９４８２９号公報  （第４−６頁、第１−２図）
【発明の開示】
【発明が解決しようとする課題】
【０００３】
ところで、上記従来技術にあっては、構造用合板等の木質積層材からなる通気受材が使用されているので、外壁構造の壁体としての強度、すなわち、壁倍率が著しく向上するようになってきた。しかしながら、柱、間柱等の木造軸組み材の上に木質積層材からなる通気受材を取り付けるためには、それ相応の手間と時間がかかり、施工費も高くついて改善が望まれていた。
【０００４】
また、上記の通気受材を取り付けるためには、長さ５０〜６５ｍｍ程度の釘を釘ピッチ１５０〜３００ｍｍ程度にして、かなりきめ細かく釘着する必要があり、この点からも施工性の改善が望まれていた。また、隣接する外壁パネル表面で段差や不陸が発生し易く、これが表面のモルタル仕上げ等のクラックの原因となっていた。
【０００５】
本発明は、上述した事情に鑑みてなされるもので、施工が簡単であるとともに施工精度と強度にも優れ、しかも施工費が安価に済む外壁構造を提供することを課題とする。
【課題を解決するための手段】
【０００６】
上記課題を解決するためなされた請求項１記載の本発明の外壁構造は、木造軸組み材、防水透湿シート、通気受材、外壁パネルを含んで構成される外壁構造であって、前記木造軸組み材の上に前記防水透湿シートを介して所定の形状及び大きさの前記通気受材が取り付けられ、前記外壁パネルと前記防水透湿シートとの間には前記通気受材により通気路が設けられる外壁構造において、前記外壁パネルの裏面に前記通気受材が予め取り付けられ、前記外壁パネルと前記通気受材とが一体化することを特徴としている。このような特徴を有する本発明によれば、施工時の工程が一工程減ることになる。すなわち、施工現場においては、通気受材を柱、間柱等に取り付ける手間が省けるようになる。その他、外壁パネルと通気受材とが一体化することにより、施工時における構成の数が一つ減る。
【０００７】
請求項２記載の本発明の外壁構造は、請求項１に記載の外壁構造において、前記外壁パネルの裏面側に更に前記防水透湿シートと断熱材が予め取り付けられ、前記外壁パネルと前記通気受材と前記防水透湿シートと前記断熱材が一体化することを特徴としている。このような特徴を有する本発明によれば、施工時の工程が三工程減ることになる。すなわち、施工現場においては、通気受材と防水透湿シートと断熱材を取り付ける手間が省けるようになる。その他、外壁パネルと通気受材と防水透湿シートと断熱材が一体化することにより、施工時における構成の数が三つ減る。
【０００８】
請求項３記載の本発明の外壁構造は、請求項１に記載の外壁構造において、前記外壁パネルの裏面側に更に前記防水透湿シートと前記木造軸組み材の間柱が予め取り付けられ、前記外壁パネルと前記通気受材と前記防水透湿シートと前記間柱とが一体化することを特徴としている。このような特徴を有する本発明によれば、施工時の工程が三工程減ることになる。すなわち、施工現場においては、通気受材と防水透湿シートと間柱とを取り付ける手間が省けるようになる。その他、外壁パネルと通気受材と防水透湿シートと間柱とが一体化することにより、施工時における構成の数が三つ減る。
【０００９】
請求項４記載の本発明の外壁構造は、請求項３に記載の外壁構造において、前記外壁パネルの裏面側に更に断熱材が予め取り付けられ、前記外壁パネルと前記通気受材と前記防水透湿シートと前記間柱と前記断熱材とが一体化することを特徴としている。このような特徴を有する本発明によれば、施工時の工程が四工程減ることになる。すなわち、施工現場においては、通気受材と防水透湿シートと間柱と断熱材とを取り付ける手間が省けるようになる。その他、外壁パネルと通気受材と防水透湿シートと間柱と断熱材とが一体化することにより、施工時における構成の数が四つ減る。
【００１０】
請求項５記載の本発明の外壁構造は、請求項１ないし請求項４いずれか記載の外壁構造において、前記外壁パネル同士が隣り合う位置の前記通気受材同士に、前記外壁パネルの面に対して略垂直方向の嵌め合いが生じる嵌合係止部が形成されることを特徴としている。このような特徴を有する本発明によれば、外壁パネル同士のつなぎ目のジョイントをすることが可能になり、施工後の壁体としての壁倍率が高められる。嵌合係止部は、外壁パネルの面に対し略垂直方向の嵌め合いになることから、極めて簡単に且つ精度良く外壁パネル同士のつなぎ目のジョイントが行え、施工性や施工精度の向上に寄与する。すなわち、隣接する外壁パネル表面間の段差や不陸の発生が防止できるので精度良く施工できる。また、特に表面をモルタル等で仕上げた場合、モルタル表面のクラック発生防止に有効である。また、外壁パネルの横ズラシが行い難い木造軸組み工法において有用になる。
【００１１】
請求項６記載の本発明の外壁構造は、請求項５に記載の外壁構造において、前記通気受材の厚みを部分的に薄くし段付きにして前記嵌合係止部が形成されることを特徴としている。このような特徴を有する本発明によれば、嵌合係止部の形成が容易であるのは勿論のこと、外壁パネルの面に対して略垂直方向の嵌め合いがなされると、先に取り付けられた外壁パネルの嵌合係止部が後からの外壁パネルの嵌合係止部により押さえ付けられる。
【００１２】
請求項７記載の本発明の外壁構造は、請求項５に記載の外壁構造において、凹凸の嵌め合いにして前記嵌合係止部が形成されることを特徴としている。このような特徴を有する本発明によれば、外壁パネルの面に対して略垂直方向の嵌め合いがなされると、凹凸の嵌め合いであることから、上下方向、すなわち自重方向のズレが確実に抑えられる。
【発明の効果】
【００１３】
本発明によれば、外壁パネルの裏面に予め通気受材やその通気受材を含む他のものが設けられていることから、従来よりも施工性を向上させることができるという効果を奏する。また、これに伴って施工費も安価にすることができるという効果を奏する。さらに、通気受材に嵌合係止部を形成することにより施工精度、壁体の強度耐久性の向上及び表面モルタル仕上げの場合のクラックを防止することができるという効果を奏する。
【発明を実施するための最良の形態】
【００１４】
本発明の詳細を図面に従って説明する。図１は本発明の外壁構造の第一の実施形態を示す正面図、図２は図１のＡ−Ａ線断面図である。図３は本発明の第二実施形態の外壁構造の断面を示し、図４は本発明の第三の実施形態の外壁構造の断面図を示し、図５は本発明の第四の実施形態の外壁構造を示し（イ）はその正面図、（ロ）はそのＢ−Ｂ線断面図である。図６は本発明の第五実施形態の外壁構造の一部切欠正面図を示す。
【００１５】
図１及び図２には、木造軸組み工法における構造躯体に本発明の外壁構造１を実施した形態が示されている。本発明の第一の実施形態は、図１に示されるように、約１間（約１８００ｍｍ）ピッチで柱５が垂直方向に設けられている。また、柱５間には、約１．５尺（約４５０ｍｍ）間隔で三本の間柱６が垂直方向に設けられている。一方、水平方向に取り付けられる横架材としては、胴差８と、胴縁９と、下部の土台１０とが設けられている。以上の木造軸組み材を含んで木造軸組み構造が構成されている。その構造は、一番下の基礎１１によって支えられている。柱５と間柱６の間には、スペースが形成されている。そのスペースには、図２に示されるように断熱材Ｄが装着されている。断熱材Ｄは、接着剤又はステープル又はそれらを併用することにより取り付けられている。垂直及び水平方向の木造軸組み材によって形成された木造軸組み構造の上には、防水透湿シート７が設けられている。その防水透湿シート７を介して本発明の第一実施形態における外壁パネル２が張り付けられている。第一実施形態の外壁構造１は、水平方向の断面で見て図２にに示されるように構成されている。
【００１６】
下地となる木造軸組み材としては、一例として、栂材、ベイツガ材、スギ材、ヒノキ材、又はこれらの集成材が挙げられる。勿論、これら以外であってもよいものとする。防水透湿シート７としては、例えばデュポン社製の商品名「タイベック」などが好適なものとして挙げられる。防水透湿シート７は、湿気を通すが水分は通さないものであって、木造軸組み材の上にステープル（図示せず）等の機械的手段で貼着されている。
【００１７】
木造軸組み材の上にステープル（図示せず）等の機械的手段で貼着された防水透湿シート７の上には、通気受材を予め裏面に取り付けた本発明の第一実施形態における外壁パネル２が釘１２等を用いて釘着等の機械的手段で張り付けられている。また、外壁パネル同士のつなぎ目は、釘、木ネジまたはこれらと接着剤の併用でも良い。
【００１８】
上記通気受材は、縦通気受材３ａ、３ｂ、３ｃと、横通気受材３ｄとから構成されている。このような通気受材の材料としては、木材ムク、構造用合板やＬＶＬ等の木質積層材の他、合成樹脂成型体、金属製等種々の材料が挙げられる。これら材料の中では、木質積層材、合成樹脂成型体が強度耐久性能、加工適正、成型適正、コスト、入手し易さ、施工性等の観点から好適なものとすることができる。木質積層材の樹種は、ラワン、ジョンコン、メランティー、カポール、アピトンなどが一般的であるがこれら以外であってもよいものとする。耐久性を考えるとレゾルシノール、フェノール、メラミン樹脂系の特類又は１類の構造用合板がいっそう好適であるものとする。上記縦通気受材３ａ、３ｂ、３ｃ、横通気受材３ｄの厚みはおよそ５〜３０ｍｍ程度が好適な範囲であるが、これに限定されないものとする。
【００１９】
本発明の第一実施形態における外壁パネル２は乾式工法において、サイジング材の下地材、又はサイジング材そのものであってもよいものとする。また、湿式工法においては、モルタル下地パネル又はモルタル仕上げ済みのパネルであってもよいものとする。サイジング材等の外壁の下地材としては、構造用合板、ＯＳＢ等が挙げられる。サイジング材等の外壁材としては、従来からある、窯業系サイジング材の他、金属系サイジング材、木質系サイジング材などが好適なものとして挙げられる。
【００２０】
本発明の第一実施形態における外壁パネル２は、その裏面の左右両サイド及び略中央に縦方向の縦通気受材３ａ、３ｂ、３ｃが予め取り付けられている。縦通気受材３ａ、３ｂ、３ｃは、ほぼ同程度の厚みに形成されている。外壁パネル２を裏面から見て、その外壁パネル２の一方の端部は、柱５とほぼ同程度の幅寸法を有する縦通気受材３ａが取り付けられている。縦通気受材３ａは、外壁パネル２の端部から、縦通気受材３ａの幅寸法の略半分程度を突出させるように取り付けられており、その突出した部分によって突出部Ｔが形成されている。縦通気受材３ｂは、外壁パネル２の略中央付近に設けられている。その縦通気受材３ｂの幅は、間柱６の幅とほぼ同じ程度に形成されている。縦通気受材３ｃは、外壁パネル２の他端であって外壁パネル２の端部から引っ込む位置に取り付けられている。その引っ込む位置には、凹部Ｕが形成されている。突出部Ｔの突出寸法は、凹部Ｕの引っ込み寸法に見合った寸法に構成されており、互いに嵌合係止できるように形成されている。尚、縦通気受材３ｃの幅は、縦通気受材３ａの幅よりも若干小さくてもよいものとする。外壁パネル２の裏面には、その上下端部近傍に外壁パネル２の上下端面から若干寸法だけ控えた位置となる横通気受材３ｄが横方向に取り付けられている。縦通気受材３ａ、３ｂ、３ｃと横通気受材３ｄとの間には、通気路４が確保できる程度に約１０〜３０ｍｍ程度の間隙が設けられている。横通気受材３ｄの幅は、胴縁９及び土台１０に相当する幅に形成されている。
【００２１】
上記構成において、本発明の第一実施形態における外壁パネル２を防水透湿シート７の上に取り付ける場合では、１枚目の外壁パネル２ａの縦通気受材３ａで形成された突出部Ｔと２枚目の外壁パネル２ｂの縦通気受材３ｃで形成された凹部Ｕとを互いに嵌合させる構造が採用されている。このような構造により、精度良くしかも強固に外壁パネル同士を連結施工することができるようになっている。
【００２２】
次に、施工方法について詳しく述べる。
柱５と、柱５間にある３本の間柱６と、上部の胴縁９と、下部の土台１０とで囲まれたスペースに１枚目の外壁パネル２ａを正面から木造軸組み構造の所定位置に、位置ズレに注意しながら釘１２で釘着する。施工手順は、
（１）柱５、間柱６、胴差８、胴縁９、土台１０で木造軸組みを構成する。
（２）柱５、間柱６の間に断熱材Ｄを装着し、その上に防水透湿シート７を張り付ける。
（３）端部の柱５の表面に、その柱５と同じ程度の幅で縦通気受材３ａ、３ｂ、３ｃと同程度の厚みを有する端部通気受材Ｅを、長さ５０〜６５ｍｍの釘を用いて１５０〜３００ｍｍピッチで釘着する。
（４）１枚目の外壁パネル２ａを取り付ける。この時、１枚目の外壁パネル２ａの端部を端部通気受材Ｅに被せるようする。すなわち、縦通気受材３ｃを端部通気受材Ｅに当接させ、凹部Ｕと端部通気受材Ｅとを嵌合させるようにする。また、これと同時に、縦通気受材３ｂを柱５間のほぼ中央にある間柱６に被せるとともに、縦通気受材３ａを２本目の間柱６に被せるようにする。そして、外壁パネル２ａを釘または木ネジあるいはこれらと接着剤の併用で取り付ける。尚、この時に用いる釘は、長さ５０〜６５ｍｍのもので釘ピッチが約１００〜２００ｍｍでよいものとする。
（５）次に、２枚目の外壁パネル２ｂを取り付ける。この時、２枚目の外壁パネル２ｂの縦通気受材３ｃで形成された凹部Ｕを１枚目の外壁パネル２ａの縦通気受材３ａで形成された突出部Ｔに嵌合させるようにする。そして、隣接する縦通気受材３ａと３ｃ同士を当接させるようにし、上記同様に２枚目の外壁パネル２ｂを釘１２で固定する。
（６）３枚目以降の外壁パネル２も同様にして取り付ける。
（７）外壁パネル２の上に必要に応じて仕上げ加工をする。
以上の手順で施工が完了する。
【００２３】
図３は、本発明の外壁構造の第二実施形態が示されている。外壁パネル２の裏面には、縦通気受材３ａ、３ｂ、３ｃが縦方向に予め設けられている。また、横通気受材３ｄ（図１参照）が外壁パネル２の裏面の上下端近傍に予め横方向に設けられている。縦通気受材３ａ、３ｂ、３ｃと横通気受材３ｄとの間には、通気路４（図１参照）が形成されている。上記縦横の通気受材の表面には、防水透湿シート７が外壁パネル２の四周辺からはみ出すように大き目に予めステープル等の機械的手段でもって、貼着されている。ここで、防水透湿シート７を外壁パネル２の四周辺よりも大き目とした理由は、外壁パネル２を施工する際、防水透湿シート７同士を重なり合うようにするためである。すなわち、防水透湿シート７に間隙ができると防水上好ましくないからである。中央の縦通気受材３ｂの上には、防水透湿シート７の上から間柱６が予め取り付けられている。また、間柱６の左右には、断熱材Ｄが接着剤、ステープル又はそれらの併用で予め防水透湿シート７の上から装着されている。従って、断熱材Ｄ、間柱６、防水透湿シート７、縦横の通気受材３ａ、３ｂ、３ｃ、３ｄを施工現場で取り付ける手間が省略できるように構成されている。このように、外壁パネル２の裏面に通気受材だけでなく、防水透湿シート７、間柱６、断熱材Ｄが予め取り付けられて本発明の第二実施形態の外壁構造が構成されている。
【００２４】
次に本発明の第二実施形態での施工手順を説明する（必要に応じて図１を参照するものとする）。
（１）柱５、柱５間の中央の間柱６、胴差８、胴縁９、土台１０で木造軸組みを構成する。尚、柱５と中央の間柱６との間に取り付けられる間柱６は取り付けておかないものとする。また、断熱材Ｄ及び防水透湿シート７も取り付けておかないものとする。
（２）端部の柱５の表面に、その柱５と同じ程度の幅で縦通気受材３ａ、３ｂ、３ｃと同じ程度の厚みの端部通気受材Ｅを長さ５０〜６５ｍｍの釘で１５０〜３００ｍｍピッチで釘着する。
（３）１枚目の外壁パネル２ａの端部を端部通気受材Ｅに被せるようにし、縦通気受材３ｃを端部通気受材Ｅに当接させる。凹部Ｕと端部通気受材Ｅとを嵌合させ、外壁パネル２ａの端部を釘または木ネジあるいはこれらと接着剤の併用で取り付ける。用いる釘は長さ５０〜６５ｍｍで、釘ピッチは約１００〜２００ｍｍでよいものとする。
（４）縦通気受材３ａを中央の間柱６に被せるようにして釘着する。用いる釘は長さ５０〜６５ｍｍで、釘ピッチは約１００〜２００ｍｍでよいものとする。この時、水平方向の構造材である胴差８、胴縁９、土台１０に、予め外壁パネル２ａの裏面の間柱６を差し込んで取り付けるための取付穴（図示せず）を所定位置に設けておく。前記間柱６を釘等で釘着する。
（５）次に、２枚目の外壁パネル２ｂを取り付ける。この時、２枚目の外壁パネル２ｂの縦通気受材３ｃで形成された凹部Ｕを１枚目の外壁パネル２ａの縦通気受材３ａで形成された突出部Ｔに嵌合させるようにし、隣接する縦通気受材３ａ及び３ｃ同士を当接させるようにする。そして、同様に釘１２で固定する。この時、１枚目の外壁パネル２ａの裏面の、防水透湿シート７の外壁パネル端面からはみ出した部分と、２枚目の外壁パネル２ｂの裏面の、防水透湿シート７の外壁パネル端面からはみ出した部分とを重なり合わせるようにして隙間が発生しないように注意する。
（６）３枚目以降の外壁パネル２も同様にして取り付ける。
（７）外壁パネル２の上に必要に応じて仕上げ加工をする。
以上の手順で施工が完了する。
【００２５】
図４には、本発明の外壁構造の第三実施形態が示されている。外壁パネル２の裏面には、予め同程度の厚みの縦通気受材３ａ、３ｂ、３ｃと、横通気受材３ｄ（図１参照）と、防水透湿シート７と、間柱６と、断熱材Ｄとが設けられており、これは第二実施形態と同様になっている。第三実施形態では、縦通気受材３ａ及び３ｃの嵌合係止構造が第二実施形態と異なっている。縦通気受材３ａは、外壁パネル２の一方の端部に設けられており、その幅が柱５とほぼ同じ程度になっている。縦通気受材３ａは、表面側から厚みの半分が、丁度外壁パネル２の端面のところで切欠されており、切欠段部Ｋが形成されている。縦通気受材３ｂは、間柱６とほぼ同じ幅で外壁パネル２の略中央に設けられている。縦通気受材３ｃは、外壁パネル２の他端に設けられており、その幅が柱５とほぼ同じ程度で、縦通気受材３ａと、断面形状で見て左右対称形になっている。すなわち、縦通気受材３ａの切欠段部Ｋに嵌合する同様の切欠段部Ｋが形成されている。縦通気受材３ｃは、外壁パネル２の端部からはみ出さないように、その端面を揃えて取り付けられている。尚、通気受材の材料は実施形態一、二と同様のものでよいものとする。横通気受材３ｄ及び取り付け位置の関係から確保すべき通気路４（図１参照）は、実施形態一、二と同程度のものでよいものとする。
【００２６】
次に本発明の第三実施形態での施工手順を説明する（必要に応じて図１を参照するものとする）。
（１）柱５、柱５間の中央の間柱６、胴差８、胴縁９、土台１０で木造軸組みを構成する。尚、柱５と中央の間柱６との間に取り付けられる間柱６は取り付けておかないものとする。また、断熱材Ｄ及び防水透湿シート７も取り付けておかないものとする。
（２）端部の柱５の表面に、その柱５と同じ程度の幅で、縦通気受材３ｃの切欠段部Ｋの段付き深さに相当する厚みを有する端部通気受材Ｅを長さ５０〜６５ｍｍの釘で１５０〜３００ｍｍピッチで釘着する。
（３）１枚目の外壁パネル２ａの端部に取り付けた縦通気受材３ｃの切欠段部Ｋを端部通気受材Ｅに被せる。そして、縦通気受材３ｃを端部通気受材Ｅに当接させ、切欠段部Ｋと端部通気受材Ｅとを嵌合させ、外壁パネル２ａの端部を釘または木ネジあるいはこれらと接着剤の併用で取り付ける。用いる釘は長さ５０〜６５ｍｍで、釘ピッチは約１００〜２００ｍｍでよいものとする。
（４）縦通気受材３ａを中央の間柱６に被せるようにして釘着する。用いる釘は長さ５０〜６５ｍｍで、釘ピッチは約１００〜２００ｍｍでよいものとする。この時、水平方向の構造材である胴差８、胴縁９、土台１０に、予め外壁パネル裏面の間柱６を差し込んで取り付けるための取付穴（図示せず）を所定位置に設けておく。前記間柱６を釘等で釘着する。
（５）次に、２枚目の外壁パネル２ｂを取り付ける。この時、２枚目の外壁パネル２ｂの縦通気受材３ｃの切欠段部Ｋと１枚目の外壁パネル２ａの切欠段部Ｋとを相じゃくり方式で嵌合させ、同様にして釘１２で固定する。１枚目の外壁パネル２ａは、２枚目の外壁パネル２ｂの縦通気受材３ｃの切欠段部Ｋにより押さえ付けられる。この時、１枚目の外壁パネル２ａの裏面の防水透湿シート７の、外壁パネル端面からはみ出した部分と、２枚目の外壁パネル２ｂの裏面の防水透湿シート７の、外壁パネル端面からはみ出した部分とを重なり合わせるようにして隙間が発生しないように注意する。
（６）３枚目以降の外壁パネル２も同様にして取り付ける。
（７）外壁パネル２の上に必要に応じて仕上げ加工をする。
以上の手順で施工が完了する。
【００２７】
図５において、本発明の第四実施形態を説明する。図５の（イ）は外壁パネル２を正面から見たところを示す。（ロ）はそのＢ−Ｂ線水平断面図である。同じ程度の厚みを有する縦通気受材３ａ、３ｂ、３ｃが予め外壁パネル２の一方の端部、ほぼ中央、他端に縦方向に設けられ、上下端部近傍に横通気受材３ｄが予め設けられている。また、実施形態二、三と同様に通気受材の表面には、防水透湿シート７が予め貼着されており、中央の縦通気受材３ｂの上には、間柱６が予め取り付けられている。さらに、その間柱６の左右には、断熱材Ｄが予め装着されている。
【００２８】
縦通気受材３ａと３ｃにおいて、略Ｓ字状嵌合部Ｓ（嵌合係止部）が形成されており、互いに嵌合し合う形状と寸法、位置関係とを有している。ここで、外壁パネル２のほぼ中央にある縦通気受材３ｂは、実施形態一、二、三とほぼ同様の形態でよいものとする。また、上記略Ｓ字状嵌合部Ｓの幅は、柱５（図１参照）の幅とほぼ同じ程度でよいものとする。外壁パネル２の端面から略半分幅が突出し、他端ではそれに見合った寸法だけ略半分幅が引っ込んでいる。引用符号Ｓ１は嵌合凸部を示しており、Ｓ２は嵌合凹部を示している。また、前記略Ｓ字状嵌合部Ｓは、外壁パネル２の上下方向、すなわち自重方向にズレない構造になっている。通気受材の材料は、実施形態一、二、三と同様のものでよいものとする。横通気受材３ｄ及び取り付け位置の関係から確保すべき通気路４も実施形態一、二、三に近いものでよいものとする。施工手順も例えば実施形態二と同様であるものとする。
【００２９】
図６において、本発明の第五実施形態を説明する。外壁パネル２の裏面には、嵌合係止部が設けられた通気受材３ａ及び３ｃが予め取り付けられており、ほぼ中央には、縦通気受材３ｂが縦方向に設けられている。外壁パネル２の裏面の上下端部近傍には、横通気受材３ｄが予め設けられており、他実施形態と同様に通気路４が確保されている。縦通気受材３ａ及び３ｃの嵌合係止部の形状は、第四実施形態と似ているが、Ｓ字状でなく略円形を有する略円形嵌合部Ｐである。すなわち、縦通気受材３ａには、嵌合凸部Ｐ１が形成されており、他端の縦通気受材３ｃには、それと見合った形状寸法を有する嵌合凹部Ｐ２が形成されている。嵌合凸部Ｐ１と嵌合凹部Ｐ２は、他実施形態と同様に正面から互いに外壁パネル２の面と略垂直方向に互いに嵌め合う形状構造になっている。水平方向には抜けない構造になっている。また、上記の第四実施形態と同様に上下方向、すなわち自重方向にもズレない構造になっている。施工手順は、前記実施形態に準ずればよいものとする。
【００３０】
その他、本発明は本発明の主旨を変えない範囲で実施形態を種々変更実施可能なことは勿論である。
【図面の簡単な説明】
【００３１】
【図１】本発明の外壁構造の第一の実施形態を示す正面図である。
【図２】図１のＡ−Ａ線断面図である。
【図３】本発明の第二実施形態の外壁構造の断面図である。
【図４】本発明の第三実施形態の外壁構造の断面図である。
【図５】本発明の第四の実施形態の外壁構造を示し（イ）はその正面図、（ロ）はそのＢ−Ｂ線断面図である。
【図６】本発明の第五実施形態の外壁構造の一部切欠正面図である。
【符号の説明】
【００３２】
１  外壁構造
２  外壁パネル
２ａ  １枚目の外壁パネル
２ｂ  ２枚目の外壁パネル
３ａ〜３ｃ  縦通気受材
３ｄ  横通気受材
４  通気路
５  柱
６  間柱
７  防水透湿シート
８  胴差
９  胴縁
１０  土台
１１  基礎
１２  釘
Ｔ  突出部
Ｕ  凹部
Ｅ  端部通気受材
Ｋ  切欠段部
Ｄ  断熱材
Ｓ  略Ｓ字状嵌合部
Ｓ１  嵌合凸部
Ｓ２  嵌合凹部
Ｐ  略円形嵌合部
Ｐ１  嵌合凸部
Ｐ２  嵌合凹部
【図１】
2005105556.tif 000003
【図２】
2005105556.tif 000004
【図３】
2005105556.tif 000005
【図４】
2005105556.tif 000006
【図５】
2005105556.tif 000007
【図６】
2005105556.tif 000008